(57)【要約】  回転軸３の外周にパドルＰｎ（ｎ＝１〜１７）を螺旋状に所定角度のピッチ９０°間隔で並ぶように複数立設し、回転軸４の外周にパドルＱｎを螺旋状に所定角度のピッチ７２°間隔で並ぶように複数立設して、回転軸３、４を互いに逆方向に不等速で回転させることにより、各パドルで混練物を混練しながら回転軸３、４に沿った一方向の搬送方向に搬送する。各パドルのパドル面は、混練物を送り方向に進める正相、あるいはその逆相となっており、それぞれ回転軸の軸方向に「正相、正相、逆相」の順序で周期的に繰り返されて配列される。逆相のパドルによる混練物は搬送方向とは逆方向に押し戻されるので、撹拌動作を多数回行うことができ、十分で均一な混練が可能になる。
2009044608.tif 000002
【特許請求の範囲】
【請求項１】
外周に撹拌部材としてのパドルを所定の螺旋ピッチで螺旋状に所定の角度ピッチ間隔で並ぶように複数立設した第１の回転軸と、外周に撹拌部材としてのパドルを所定の螺旋ピッチで、第１の回転軸の螺旋とは逆螺旋状に所定の角度ピッチ間隔で並ぶように複数立設した第２の回転軸とを平行に配置して互いに不等速で逆方向に回転させ、第１と第２の回転軸の螺旋ピッチの比を第１と第２の回転軸の回転数比と逆比に、また、第１と第２の回転軸のパドルの角度ピッチの比を第１と第２の回転軸の回転数比と同比となるようにして、混練物をパドルにより混練する混練装置であって、
前記第１と第２の回転軸の各パドルは、そのパドル面が混練物を送り方向に進める螺旋に沿った方向になる正相か、あるいはパドル面が回転軸の中心線に対して正相と対称な逆相となっていて、回転軸の軸方向に見てそれぞれ軸端から同距離にある各回転軸の対向するパドル位置でのパドル面の相が同相となるように配列され、
前記第１と第２の回転軸の各パドルは、それぞれ回転軸の軸方向に見て正相と逆相が所定の順序で周期的に繰り返されて配列されることを特徴とする混練装置。
【請求項２】
前記所定の順序が正相、正相、逆相の順序であり、この順序が回転軸の軸方向に周期的に繰り返されることを特徴とする請求項１に記載の混練装置。
【請求項３】
パドル面が回転軸の軸方向に沿った方向になる平相のパドルが設けられ、前記所定の順序が正相、平相、逆相の順序であり、この順序が回転軸の軸方向に周期的に繰り返されることを特徴とする請求項１に記載の混練装置。
【請求項４】
前記所定の順序が正相、逆相の順序であり、この順序が回転軸の軸方向に周期的に繰り返されることを特徴とする請求項１に記載の混練装置。
【請求項５】
前記所定の順序が正相、平相、平相の順序であり、この順序が回転軸の軸方向に周期的に繰り返されることを特徴とする請求項１に記載の混練装置。
【請求項６】
前記所定の順序が正相、逆相、逆相の順序であり、この順序が回転軸の軸方向に周期的に繰り返されることを特徴とする請求項１に記載の混練装置。
【請求項７】
前記第１と第２の回転軸の各パドルはすべて逆相であることを特徴とする請求項１に記載の混練装置。
【請求項８】
前記第１と第２の回転軸は、それぞれのパドルの先端が回転軸の回転に応じて相手の回転軸の外周に近接するように配置されることを特徴とする請求項１から７のいずれか１項に記載の混練装置。
【請求項９】
前記パドルは、そのパドル面の螺旋に沿った方向に対する角度が調整できるようにそれぞれの回転軸に取り付けられることを特徴とする請求項１から８のいずれか１項に記載の混練装置。
【請求項１０】
第１の回転軸の各パドルと軸方向に見て軸端から同距離の位置で、回転軸の同じ回転方向に各パドルの角度ピッチの所定倍の角度異なる角度位置に、該同距離の位置にあるパドルと同相のパドルをそれぞれ設け、第２の回転軸の各パドルと軸方向に見て軸端から同距離の位置で、回転軸の同じ回転方向に各パドルの角度ピッチの所定倍の角度異なる角度位置に、該同距離の位置にあるパドルと同相のパドルをそれぞれ設けることを特徴とする請求項１から９のいずれか１項に記載の混練装置。
【発明の詳細な説明】
【技術分野】
【０００１】
本発明は、混練物を混練する混練装置、更に詳しくは、それぞれ外周に撹拌部材としてのパドルを複数立設した２本の回転軸を互いに平行に設け、互いに逆方向に回転させることにより、パドルで混練物を混練する混練装置に関するものである。
【背景技術】
【０００２】
従来、この種の混練装置（ミキサー）は、例えば脱水汚泥、焼却あるいは集塵ダスト、セメントなどの固化剤混入ダスト、あるいは肥料などの粉体ないし粒体の混合、及び粉体ないし粒体に液体を加えての混練に使用される。【０００３】
このような混練装置は、例えば特許文献１に記載されており、この構成では、複数のパドルが螺旋状に並ぶように立設されている。そして、第１と第２の回転軸を互いに逆方向に回転させることにより、パドルで混練物を撹拌して混練しながら２本の回転軸に沿った一方向の搬送方向に搬送するようになっている。また、２本の回転軸の回転によって、それぞれのパドルの先端が相手の回転軸の外周面に近接するように構成される。そして２本の回転軸を不等速に回転させることにより、２本の回転軸のパドルが相手の回転軸の外周面に付着した混練物を掻き落すセルフクリーニングを行なえるようになっている。２本の回転軸のパドルは、全て、混練時にそれぞれの回転軸の回転に伴って混練物を搬送方向に押圧するように、回転軸の中心線に対して例えば４５°程度の所定角度傾いた向きに取り付けられている。
【特許文献１】特開昭６２−１５７１１３号公報
【発明の開示】
【発明が解決しようとする課題】
【０００４】
しかしながら、従来の混練装置の構成では、以下のような問題があった。【０００５】
粉体ないし粒体を混合する場合は問題ないが、粉体ないし粒体と液体を混練する場合には、その配合比によって、また液体の粘性が高いときなどに、粉体ないし粒体の一部分に液体が凝集して塊状のもの、いわゆるダマ（だま）になることがある。一旦ダマが発生すると、容易には解消できず、材料全体の均一な混練が阻害される場合がある。【０００６】
これに対して特許文献１のようなセルフクリーニングを行なう構成では、２本の回転軸の対向するパドルどうしが回転軸の所定回数の回転毎に接近、離間を繰り返す。そして対向するパドルどうしが最も接近するときに混練物を互いの間に挟むようにして押圧することにより、混練物中のダマを押しつぶすことが一応は可能である。【０００７】
しかし、このダマを押しつぶす作用が十分ではなかった。すなわち、２本の回転軸の対向するパドルどうしが最接近する際に互いの間に混練物を押圧する力に対して、パドル間の混練物がその性状によってはパドルの傾きに沿って混練物の搬送方向に逃げてしまい、押しつぶし効果が半減する場合がある。その場合、十分で均一な混練を行なうことができなくなる。【０００８】
また、混練物の材料の全部を一度に投入して混練し一度に排出するバッチ型の混練装置の場合は運転時間の調整で混練度合いの調整がある程度可能である。これに対して、混練物の材料を逐次連続的に投入しながら混練して連続的に排出する連続型の混練装置の場合は、混練物の材料の時間当たりの投入量によって装置内部での混練物の滞留時間（混練物の撹拌時間）が決定されるため、混練度合いの調整が限られていた。このため、混練装置の用途に応じて混練度合いを調整して効率良く混練を行うことが困難だった。【０００９】
更に、連続型の混練装置では、小型で大量処理が可能であるという利点がある。しかし、混練物の材料の噴流性が高い場合や、処理能力以上に混練物の材料を供給した場合に、投入された混練物の材料が混練されずにそのまま装置内を通過する現象、いわゆるショートパスが発生してしまい、混練が全く不十分にしか行われないことがある。【００１０】
本発明は、上記のような問題点を解決するためになされたもので、小型な構成で十分で均一な混練を効率良く行える混練装置を提供することにある。
【課題を解決するための手段】
【００１１】
本発明は、
外周に撹拌部材としてのパドルを所定の螺旋ピッチで螺旋状に所定の角度ピッチ間隔で並ぶように複数立設した第１の回転軸と、外周に撹拌部材としてのパドルを所定の螺旋ピッチで、第１の回転軸の螺旋とは逆螺旋状に所定の角度ピッチ間隔で並ぶように複数立設した第２の回転軸とを平行に配置して互いに不等速で逆方向に回転させ、第１と第２の回転軸の螺旋ピッチの比を第１と第２の回転軸の回転数比と逆比に、また、第１と第２の回転軸のパドルの角度ピッチの比を第１と第２の回転軸の回転数比と同比となるようにして、混練物をパドルにより混練する混練装置であって、
前記第１と第２の回転軸の各パドルは、そのパドル面が混練物を送り方向に進める螺旋に沿った方向になる正相か、あるいはパドル面が回転軸の中心線に対して正相と対称な逆相となっていて、回転軸の軸方向に見てそれぞれ軸端から同距離にある各回転軸の対向するパドル位置でのパドル面の相が同相となるように配列され、
前記第１と第２の回転軸の各パドルは、それぞれ回転軸の軸方向に見て正相と逆相が所定の順序で周期的に繰り返されて配列されることを特徴とする。
【発明の効果】
【００１２】
本発明によれば、混練時に、２本の回転軸の外周における螺旋状でパドルが並ぶ順序で正相と逆相のパドルが隣り合っている複数の箇所で混練物の搬送方向への流れが滞る。これによりダマの押しつぶし動作で最接近したパドル間から混練物を逃げ難くして押しつぶし効果を高めることができる。これと共に、混練物の材料の投入から混練物の排出までの滞留時間が長くなり、ダマの押しつぶし動作を含む撹拌動作を多数回、十分に行うことができ、ダマをなくして、十分で均一な混練が可能になる。また、連続型の装置として小型に構成しても、混練物の滞留時間を長くして十分で均一な混練を行うことができる。【００１３】
また、本発明によれば、パドルは、そのパドル面の螺旋に沿った方向に対する角度が調整できるように回転軸に取り付けられるので、混練装置の用途に応じて混練度合いを調整して効率良く混練を行うことができる。
【図面の簡単な説明】
【００１４】
【図１】パドルを１条の螺旋に沿って配置した混練装置の筐体の上側の大部分を取り払った状態で示す上面図である（実施例１）。
【図２】同混練装置の筐体内の一方の回転軸に沿った側面図である。
【図３ａ】同混練装置の回転軸のパドルを設けた部分での回転軸に直交する断面図である。
【図３ｂ】同混練装置の回転軸のロッドを設けた部分での断面図である。
【図４】実施例１の各回転軸のパドル配置を展開して示した説明図である。
【図５】回転軸の中心線に対する正相のパドルと逆相のパドルの傾きを示す説明図である。
【図６】パドルを２条の螺旋に沿って配置した混練装置の筐体の上側の大部分を取り払った状態で示す上面図である（実施例２）。
【図７】実施例２の各回転軸のパドル配置を展開して示した説明図である。
【図８】実施例２における回転軸の回転に応じて変化するパドル位置を示した説明図である。
【図９】実施例１における回転軸の回転に応じて変化するパドル位置を示した説明図である。
【図１０】パドルを１条の螺旋に沿って配置した混練装置の他の実施例を示す上面図である（実施例３）。
【図１１】実施例３の各回転軸のパドル配置を展開して示した説明図である。
【符号の説明】
【００１５】
１  筐体
１ａ  投入口
１ｂ  排出口
２  フレーム
３、４  回転軸
７、８  ロッド  ９、１０  軸受部
１１  ギアボックス
１２、１３  ギア
１４、１６  スプロケット
１５  チェーン
１７  モータ
Ｐｎ、Ｐｎ’、Ｑｎ、Ｑｎ’パドル
【発明を実施するための最良の形態】
【００１６】
以下、添付した図を参照して、本発明を実施するための最良の形態の実施例を説明する。なお、実施例の混練装置について、粉体ないし粒体と液体の混練を行う場合を説明するが、その混練装置で粉体ないし粒体のみの混合、ないしは粉体ないし粒体にごく少量の液体を加えての混合も行えるものである。
【実施例１】
【００１７】
図１〜図４は、本発明の実施例１による混練装置の構造を説明するもので、図１は混練装置の筐体の上側の大部分を取り払った状態で示す平面図、図２は混練装置の筐体内の一方の回転軸に沿った側面図、図３ａ、図３ｂは混練装置の回転軸のパドルを設けた部分とロッドを設けた部分での回転軸に直交する断面図、図４は各回転軸をＡ〜Ｄ（Ａ〜Ｅ）の方向から見た時のパドルの配置を説明した図である。【００１８】
図１〜図４において、１は混練装置の筐体であり、ベースのフレーム２上に水平に設けられる。筐体１は、ここでは細長い直方体形状に形成されている。図２に示す左端部の上側には、不図示のホッパーから混練される混練物の材料（粉体ないし粒体）を筐体１内に投入（投下）するための投入口１ａが設けられている。また右端部の下側には、投入された材料に液体を加えて混練した混練物を筐体１から不図示のコンベア上へ排出する（落下させる）ための排出口１ｂが設けられている。混練物は混練されながら、矢印で示したように、投入口１ａ側から排出口１ｂ側へと右方向に搬送される。【００１９】
筐体１内には、その長手方向に沿って同じ径の２本の回転軸３、４が互いに平行に架設されており、図１中で筐体１の右端部外側に設けられた軸受部９と、筐体１の左端の外側近傍でフレーム２上に設けられた軸受部１０によって回転可能に軸受されている。【００２０】
また、回転軸３、４の図１中の左端部でギアボックス１１に挿通された部分にはギア１２、１３が固定されており、互いに噛合している。【００２１】
さらに回転軸３の図１中で左端は、軸受部１０から外側に突出しており、その左端にスプロケット１４が固定されている。また、フレーム２上にはモータ１７が設けられ、その出力軸にはスプロケット１６が固定されている。このスプロケット１６とスプロケット１４間にチェーン１５が張り渡されている。【００２２】
モータ１４の一方向への回転駆動力がスプロケット１６、チェーン１５及びスプロケット１４を介して回転軸３に伝達されて回転軸３が一方向に回転し、さらに回転駆動力がギア１２、１３を介して回転軸４に伝達されて回転軸４が逆方向に回転する。回転軸３、４は、ギヤ１２、１３を介して、Ｎ：Ｎ−１、例えば５：４の回転数比で不等速で回転される。なお、回転軸３、４の混練時の回転方向は、図１、図３ａ、図３ｂに示すように、上方から見て互いの内側へ向かって回転する方向となっている。【００２３】
回転軸３、４のそれぞれの外周には撹拌部材としてのパドルＰ１〜Ｐ１７、Ｑ１〜Ｑ１７が立設されている。図１、図３ａでは、図が煩雑になるので、一部のパドルのみ符号が付されて図示されている。各パドルＰ１〜Ｐ１７、Ｑ１〜Ｑ１７はいずれも同じ矩形の形をした平板で、それぞれの中央部に貫通穴（図ではほぼ円形で示されている）が形成されている。また、各パドルＰ１〜Ｐ１７、Ｑ１〜Ｑ１７は、それぞれの高さ（回転軸３、４の外周からの突出量）が回転軸３、４の外周面間の距離より僅かに小さく、各パドルの先端が回転軸の回転にしたがって相手側の回転軸の外周に近接し、回転軸に付着した混練物を掻き落として回転軸をセルフクリーニングできるようになっている。【００２４】
パドルＰ１〜Ｐ１７は、回転軸３の外周に所定の螺旋ピッチで互いに回転軸３の回転方向に所定の角度ピッチずつずらして螺旋状に配置され、パドルＱ１〜Ｑ１７は、回転軸４の外周に所定の螺旋ピッチで互いに回転軸４の回転方向に所定の角度ピッチずつずらして、パドルＰ１〜Ｐ１７が形成する螺旋とは逆螺旋状に配置される。パドルＰ１〜Ｐ１７の螺旋ピッチとパドルＱ１〜Ｑ１７の螺旋ピッチの比は、回転軸３と４の回転数比と逆比になるように構成されており、例えば回転軸３と４の回転数比が、上述のように、５：４のときは、１Ｌ：１．２５Ｌのように、逆比となっている。また、パドルＰ１〜Ｐ１７の角度ピッチとパドルＱ１〜Ｑ１７の角度ピッチの比は、回転軸３と４の回転数比と同比になるように構成されており、回転軸３と４の回転数比が、上述のように、５：４のときは、例えば、パドルＰ１〜Ｐ１７の角度ピッチは９０°、パドルＱ１〜Ｑ１７の角度ピッチは７２°のように、回転軸３と４の回転数比と同じ比となっている。【００２５】
また、各パドルＰ１〜Ｐ１７、Ｑ１〜Ｑ１７は、そのパドル面が混練物を送り方向に進める螺旋（送り螺旋）に沿った方向になる正相か、あるいはパドル面が回転軸の回転中心線に対して正相と対称な逆相となっていて、それぞれ各回転軸３、４の対向するパドル位置でのパドル面の相が同相となるように配列され、また、各パドルＰ１〜Ｐ１７、Ｑ１〜Ｑ１７は、それぞれ回転軸の軸方向に正相と逆相が所定の順序で周期的に繰り返されて配列されている。【００２６】
図４はこのようなパドルの展開配置を示すもので、中心には図１と同様な図が示されており、上部には、回転軸４をそれぞれ７２°ずらしたＡ〜Ｅの方向から見たときのパドルの配置が、また下部には、回転軸３をそれぞれ９０°ずらしたＡ〜Ｄの方向から見たときのパドルの配置が図示されている。【００２７】
図４から理解できるように、パドルＰｎ、パドルＱｎ（ｎ＝１〜１７）でｎが同じ数字のパドルはそれぞれ回転軸３、４の軸方向に見て軸端から同じ距離のところに配置されており、また、ｎの番号が１ずつ増加するにしたがって、パドルＰｎ、パドルＱｎは軸方向に矢印で示す右側に所定距離離れた位置（次の一点鎖線で示す位置）で回転軸が所定の回転角度（角度ピッチ）回転した位置にそれぞれ取り付けられる。したがって、パドルＰ１とＱ１が、一点鎖線で示したように、回転軸３、４の軸端から同じ距離で反対方向に対向する位置に取り付けられたとすると、パドルＰ２は右側に次に一点鎖線で示した位置で９０°の角度ピッチ内側にずらした位置に取り付けられ、パドルＱ２はパドルＰ２の配置される一点鎖線で示した同じ一点鎖線位置で７２°の角度ピッチ内側にずらした位置に取り付けられる。同様にしてＰｎ、Ｑｎ（ｎ＝３〜１７）は、ｎの数字が１ずつ増加するにつれて、軸方向に所定距離離れた次の一点鎖線で示した位置でそれぞれ角度ピッチ９０°、７２°内側にずらした位置に取り付けられる。このような配置により、パドルＰ１〜Ｐ１７は回転軸３に螺旋状に配置され、パドルＱ１〜Ｑ１７は回転軸４にパドルＰ１〜Ｐ１７が形成する螺旋とは逆螺旋状に配置され、それぞれ螺旋ピッチはそれぞれ回転軸３、４の回転数比５：４の逆比である１Ｌ：１．２５Ｌとなる。また、各パドルＰｎ、Ｑｎ（ｎ＝１〜１７）は、ｎの番号が同じパドルの面は同じ相となっており、それぞれ回転軸３、４の軸方向に正相、逆相が所定の順序で、つまり図４で示したように、「正、正、逆、正、正、逆、正、正、逆…」というように、「正、正、逆」の相順序で周期的に繰り返されて配置される。なお、図４において、（Ｐ）は正相をとるパドルを、（Ｒ）は逆相をとるパドルを示している
また、混練装置１には、混練物を所定の高さまでせき止めるせき板１８、１９が設けられ、これらのせき板間に、サイドせき板２０が複数設けられる。サイドせき板２０は、筐体１内でせき板１８と１９の間の領域の複数箇所で、回転軸３、４の側方となる筐体１の左右の内側面から所定量だけ突出するように設けられ、回転軸３、４の側方で混練物を部分的にせき止める。【００２８】
また、回転軸３、４において排出口１ｂ上に臨む端部には、複数のロッド７、８がそれぞれ回転軸３、４の円周線上に所定角度間隔で複数立設されている。前記角度の比も、回転数比がＮ：Ｎ−１、例えば５：４とし、例えばロッド７は９０°間隔で４本、ロッド８は７２°間隔で５本設けられる。このロッド７、８は混練時に回転軸３、４の排出口１ｂ側の端部においてセルフクリーニングを行なうためである。【００２９】
また、筐体１内でせき板１８の混練物搬送方向側の近傍には、混練物の材料に加えられる液体を筐体１内に注入するための配管（ノズル）２１が設けられている。【００３０】
次に、本実施例の混練装置の混練動作について説明する。【００３１】
混練時には、モータ１７の駆動により、回転軸３、４が、図１、図３ａに示すように内回り方向に５：４の回転数比で不等速に逆回転され、投入口１ａから混練物の材料（粉体ないし粒体）が筐体１内に投入される。【００３２】
回転軸３の螺旋は、回転軸３が図示の方向に回転すると、混練物を図１で右方向に送り搬送する螺旋形状となって送り螺旋となる。また回転軸４の螺旋は回転軸３とは逆螺旋であり、回転軸４は回転軸３と逆方向に回転するので、回転軸４の螺旋は、同様に送り螺旋となる。したがって、送り螺旋に沿った正相のパドルは、混練物を右方向に押しやり、また逆相のパドルは混練物を戻す方向に押しやる。【００３３】
この実施例では、各パドルＰｎ、Ｑｎは「正、正、逆」の相順序で周期的に繰り返されて配置されるので、混練物は「送り、送り、戻し」の作用を受け、また、全体としては正相のパドルが逆相のパドルより多いので、混練物はパドルにより攪拌されながら右方向に排出口１ｂ側へ搬送される。なお、回転軸３、４の螺旋ピッチの比は回転軸３、４の回転数比の逆比となっているので、回転軸３、４による軸方向の搬送速度は理論上は同じとなる。【００３４】
また、パドルＰｎの角度ピッチとパドルＱｎの角度ピッチの比は、回転軸３、４の回転数比と同じ比になっているので、軸方向に見て同じ位置にあるパドルＰｎ、Ｑｎ（ｎが同じ番号のパドル）は、回転軸３、４が回転しても衝突することはなく、また、回転軸３、４の回転に伴って各パドルの先端が相手側の回転軸の外周に近接するので、相手側の回転軸の外周面に付着した混練物を掻き落とし、回転軸をセルフクリーニングするとともに、対向する２枚のパドルが所定回転数の周期で互いに接近、離間する動作を繰り返し、パドル間で混練物の粉砕が行われる。【００３５】
ここで混練物中にダマが発生している場合、パドルＰｎ、Ｑｎの対向する２枚ずつどうしが最も接近するときに、混練物を互いの間に挟むようにして押圧することにより、ダマを押しつぶすことができる。ただし、このときの押圧力に対して、パドル間の混練物がその性状によってはパドルの傾きに沿って混練物の搬送方向またはその逆方向に逃げようとする。これに対してパドルＰｎ、Ｑｎの「正、正、逆」の相を繰り返す並びの順序により、正相のパドルと逆相のパドルが隣り合っている複数の箇所で混練物の搬送方向への流れが滞る。これにより、パドル間に挟まれて押圧される混練物が搬送方向またはその逆方向に逃げ難くなり、ダマの押しつぶし効果を高めることができる。また、搬送方向への流れが滞るため、混練物の材料の投入から混練物の排出までの滞留時間が長くなり、ダマの押しつぶし動作を含む撹拌動作を多数回、十分に行うことができ、ダマをなくして、十分で均一な混練が可能になる。また、連続型の装置として小型に構成しても、混練物の滞留時間を長くして十分で均一な混練を行うことができる。【００３６】
なお、正相のパドルを多くするほど混練物を搬送する搬送力が大きくなって、混練物の投入から排出までの滞留時間が短くなり、混練物の混練度が低くなる。また、逆相のパドルを多くするほど、混練物を搬送方向と逆方向に戻そうとする戻し力が大きくなって、混練物の滞留時間が長くなり、混練物の混練度が高くなる。【００３７】
また、パドルＰｎ、Ｑｎには、その中心部に貫通穴が形成されるので、対向するパドルどうしが互いの間に混練物を挟むようにして押圧するときに、回転軸３、４に作用する反力を低減することができる。さらに、パドル間の混練物が貫通穴を通過する際に、せん断力が作用し、混練を促進することができる。【００３８】
また、混練時において、筐体１内のせき板１８、１９間で回転軸３、４の外側を回転軸に沿って搬送方向に移動する混練物は、サイドせき板２０が設けられていなければ、そのまま移動するので、回転軸３、４間を移動する混練物に比べて良く撹拌されず良く混練されない。しかし、サイドせき板２０が設けられているため、外側を移動する混練物がサイドせき板２０により阻止され、内側、すなわち回転軸３、４間側に移動するように導かれ、良く混練されることになる。すなわち、混練物全体の滞留時間を長くし、混練度を上げることができる。【００３９】
また、混練物の材料の噴流性が高い場合に、混練物の材料が回転軸３、４の外側を回転軸３、４に沿ってそのまま搬送方向に流れるのがサイドせき板２０により複数箇所で阻止され、内側に移動し、混練されるので、ショートパスの発生を防止して、混練を十分に行うことができる。【００４０】
なお、各パドルＰｎ（Ｑｎ）のパドルの取り付け方向を調整することにより、混練時の搬送力ないし戻し力を変化させることができる。例えば、図５に示したように、正相のパドル３ａ、逆相のパドル３ｂのパドル面の回転中心軸に対する傾きθを調節できるようにする。パドル面を螺旋に沿った方向、あるいはそれと直交する方向に調節することにより、混練時の搬送力ないし戻し力を最大にすることができ、パドル面を螺旋に沿った方向、あるいはそれと直交する方向から所定角度ずらすことにより、搬送力ないし戻し力を弱めるようにすることができる。なお、図５において矢印は混練物の搬送方向を示し、一点鎖線は回転中心軸を示す。
【実施例２】
【００４１】
図６、図７は本発明の他の実施例を示すもので、パドルＰｎ（ｎ＝１〜１７）が配列された回転軸３の軸方向に見て軸端からパドルＰｎと同じ距離の位置で、回転軸３の同じ回転方向に各パドルＰｎからその角度ピッチのＮ倍の角度（例えばＮ＝２として９０°×２＝１８０°）異なる角度位置に、パドルＰｎと同相のパドルＰｎ’（ｎ＝１〜１７）をそれぞれ設ける。図６、図７に示したように、軸方向に軸端から見て同じ位置にあるパドルＰ１とＰ１’；Ｐ２、Ｐ２’；Ｐ１７、Ｐ１７’などはいずれも正相で、１８０°の位相ずらして配置され、軸方向に同じ位置にあるパドルＰ３、Ｐ３’はそれぞれ逆相で、１８０°の位相ずらして配置される。【００４２】
このような配置により、パドルＰｎの並びが形成する螺旋を１条の螺旋とすると、パドルＰｎ’の並びによりもう一条の螺旋が形成され、回転軸３の回転方向に所定角度（１８０°）位相がずれた、螺旋ピッチ並びに螺旋の方向が同じの２条の螺旋が形成される。【００４３】
同様に、パドルＱｎ（ｎ＝１〜１７）の配列された回転軸４の軸方向に見て軸端からパドルＱｎと同じ距離の位置で、回転軸４の同じ回転方向に各パドルＱｎからその角度ピッチのＮ倍の角度（例えばＮ＝２として７２°×２＝１４４°）異なる角度位置に、パドルＱｎと同相のパドルＱｎ’（ｎ＝１〜１７）をそれぞれ設ける。図示の例では、軸方向に同じ位置にあるパドルＱ１とＱ１’；Ｑ２、Ｑ２’；Ｑ１７、Ｑ１７’などはいずれも正相で、１４４°の位相ずらして配置され、軸方向に同じ位置にあるパドルＱ３、Ｑ３’はそれぞれ逆相で、１４４°の位相ずらして配置される。【００４４】
このような配置により、パドルＱｎの並びが形成する螺旋を１条の螺旋とすると、パドルＱｎ’の並びによりもう一条の螺旋が形成され、回転軸４の回転方向に所定角度（１４４°）位相がずれた、螺旋ピッチ並びに螺旋の方向が同じの２条の螺旋が形成される。【００４５】
なお、図７では、図の煩雑さを避けるために、図４で示したパドルＰｎ、Ｑｎは白で図示されており、他の条の螺旋に沿って配置されるパドルＰｎ’、Ｑｎ’は黒で、正相のパドル面の場合は（正）で、逆相のパドル面の場合は（逆）で図示されている。【００４６】
この実施例での混練において、追加された他の条のパドルＰｎ’、Ｑｎ’による混練物の混練並びに搬送は、パドルＰｎ、Ｑｎによる混練物の混練並びに搬送と同様であり、ダマの押しつぶし動作の頻度を２倍以上にすることができ、更にダマの押しつぶし効果を高めることができる。また、パドルによる撹拌回数を倍増させて、混練の仕上がり度合いを高め、より均一な混練を行える。【００４７】
この２条配置のパドルによる混練の効果が図８に図示されている。図８では、回転軸３の１回転ごとに、軸方向に同じ位置にある各パドルＰｎ、Ｐｎ’；Ｑｎ、Ｑｎ’の位置関係が図示されており、ｋ回転目（ｋ＝１〜６）において、回転軸３が９０°ずつ回転した状態が（ｋ−１）〜（ｋ−４）で図示されている。回転軸３と４の回転数比は５：４であり、回転軸３が１回転する間に回転軸４は４／５回転し、回転軸３が６回転目になると、各パドルは１回転目と同じ位置になる。なお、図８において、Ｒｎ（ｎ＝１〜６）はｎ回転目を示す。【００４８】
回転軸３が１回転する間に回転軸４は１／５回転遅れるために、両軸には差速が生じ、そのため、一方の回転軸に配列したパドルにより他方の回転軸に配列したパドルのクリーニングが行われる。このパドルによる互いのクリーニングが行われる状態が、図８で一点鎖線の楕円で示されており、回転軸３が５回転する間に、８回行われる。このうち、細い一点鎖線で示した位置では、早いパドルＰｎ（Ｐｎ’）が遅いパドルＱｎ（Ｑｎ’）から逃げる状態となり、太い一点鎖線で示した位置では、早いパドルＰｎ（Ｐｎ’）が遅いパドルＱｎ（Ｑｎ’）を追いかける状態となる。【００４９】
図９は、実施例１の混練装置における図８と同様な図であり、各パドルＰｎ、Ｑｎは回転軸３、４において１条に配置されるだけなので、パドルによる互いのクリーニングが行われる回数は、一点鎖線の楕円で示したように、回転軸３が５回転する間に、２回しか行われず、実施例２に示すように２条配置によるクリーニング効果、並びにダマの押しつぶし効果、攪拌効果が優れていることが理解できる。【００５０】
また、各パドルの先端が回転軸の回転にしたがって相手側の回転軸の外周に近接し、回転軸に付着した混練物を掻き落として回転軸をセルフクリーニングする効果も、２条配置がより優れていることが理解できる。【００５１】
なお、以上で説明した実施例では、パドルを回転軸に２条の螺旋に沿って配置したが、３条、あるいは複数条の螺旋に沿って並ぶように立設するようにしてもよい。この場合、各条の螺旋はそれぞれ同じ螺旋ピッチで螺旋方向が同じであり、軸方向に同じ距離にある各条のパドルの相は同じにし、また各条の螺旋は、回転軸の回転方向にそれぞれ所定角度位相がずれているようにする。
【実施例３】
【００５２】
図１０、図１１には、パドル面が回転軸３、４の軸方向に沿った方向になる平相のパドルが設けられ、軸方向に見て周期的な繰り返し順序が正相、平相、逆相の順序となる実施例が図示されている。図１１において、（Ｓ）は平相のパドルを示す。【００５３】
実施例１での回転軸３の正相のパドルＰ２、Ｐ５、Ｐ８、Ｐ１１、Ｐ１４、Ｐ１７と、回転軸４の正相のパドルＱ２、Ｑ５、Ｑ８、Ｑ１１、Ｑ１４、Ｑ１７を平相としたもので、この実施例では、正相のパドルで送られた混練物は、次の平相のパドルを通過して次の逆相のパドルで押し戻されるので、混練物の搬送力は減少してしまう。搬送力が少なくなる分、攪拌する時間が長くなり、混練度合いは顕著に向上する。搬送力を増大するには、図５に示すように、正相のパドルをパドル面が螺旋に沿うように取り付け、逆相のパドルを戻し力が弱くなる方向に取り付けたり、平相のパドルを少し正相のパドル面の方向になるように取り付けるようにする。【００５４】
実施例３において、平相のパドルを省略して、軸方向に見て周期的な繰り返し順序が正相、逆相の順序となるようにすることもできる。【００５５】
また、軸方向に見て周期的な繰り返し順序を、正相、平相、平相の順序、あるいは正相、逆相、逆相の順序とすることもできる。【００５６】
また、第１と第２の回転軸の各パドルをすべて逆相とすることもできる。【００５７】
また、実施例３の各例において、実施例２に示すように、各パドルを２条、あるいはそれ以上の多条の螺旋配列とすることもできる。【００５８】
なお、以上説明した各実施例において、回転軸３、４は上から見て互いに逆方向に内側に回転する方向に回転されたが、互いに逆方向に外側に回転する方向に回転させることもできる。この場合には、搬送方向が逆方向になるので、各回転軸の正相のパドルと逆相のパドルを入れ替え、それぞれ逆螺旋状になるように取り付け、搬送方向が同じになるようにする。【００５９】
また、各実施例において、パドルの周期的な配列において、混練装置の排出口１ｂ及び／又は液体（薬液）を注入するための配管（ノズル）２１が設けられる領域では、周期的な配列を行わないようにして、例外的な配列とすることができる。例えば、実施例１で、「正相、正相、逆相」の周期的なパドル配列の場合、排出口１ｂ、配管２１が設けられる領域で、周期的な配列では、正相（あるいは逆相）となっていない場合、周期的な配列を崩して正相（あるいは逆相）とするようにすることもできる。
【図１】
2009044608.tif 000003
【図２】
2009044608.tif 000004
【図３ａ】
2009044608.tif 000005
【図３ｂ】
2009044608.tif 000006
【図４】
2009044608.tif 000007
【図５】
2009044608.tif 000008
【図６】
2009044608.tif 000009
【図７】
2009044608.tif 000010
【図８】
2009044608.tif 000011
【図９】
2009044608.tif 000012
【図１０】
2009044608.tif 000013
【図１１】
2009044608.tif 000014
【国際調査報告】
2009044608.tif 000015
2009044608.tif 000016
2009044608.tif 000017
2009044608.tif 000018